(57)【要約】  本発明による低電圧高性能ヒューズのヒューズリンク状態インジケータは、低電圧高性能ヒューズの設計に関し、より詳細には、ヒューズのカートリッジ内のヒューズリンクの状態の視覚的表示を与える、すなわち、ヒューズリンクが飛んだか否かを高い信頼性で結論付ける一体型組立体の解決策に関する。本発明の実質は、インジケータ薄板（２．１）をインジケータ薄板のチャネル（３．８）に沿って、ヒューズのヒューズリンク（３．１）が飛んだ状態がまだ発生していないことを反映する開始位置から、インジケータ薄板（２．１）が、ヒューズのヒューズリンク（３．１）が飛んだ場合に占有する最終位置に変位させる（３．９）力ＦＰが、圧縮バネの一端部がヒューズ筐体の下部カバー（１．２ｄ）に寄りかかり、他端部がインジケータ薄板の下前縁部（３．１０）に押し当てられ、必要な力でインジケータ薄板に作用して、インジケータ薄板を開始位置から最終位置に押そうとするように、インジケータ薄板のチャネル（３．８）の下部に配置された圧縮バネ（４．１）により生成されることを含み、そこで、インジケータ薄板（２．１）は、全厚ｄＬ（５．１）を通して適切な位置において、裂け目（４．２）が作られるような形状であり、裂け目（４．２）は、ヒューズの筐体／外装（１．１）の前壁（３．６）の前部にあるインジケータ開口部（１．６）の形状、サイズ、及び配置に対して、インジケータ薄板（２．１）の最終位置において、裂け目（４．２）とインジケータ開口部（１．６）とが一致するような形状及びサイズのものであり、且つそのようにインジケータ薄板（２．１）に配置され、それにより、ヒューズ外壁のインジケータ開口部（１．６）を通して、インジケータ薄板（２．１）表面のいかなる部分も見えず、圧縮バネ（４．１）のいかなる部分も見えない。本発明によるインジケータ組立体の設計は、インジケータ薄板（２．１）を、射出技術を使用して任意の所望の色の熱可塑性材料で作る可能性を提供する。ヒューズのヒューズリンク（３．１）の状態に関して、所望の色の熱可塑性材料の射出により実現し得るインジケータ薄板（２．１）の最終位置において、上前縁部（３．１１）の隣の表面（６．１）である部分が可視になることに基づいて、この位置に置いて、表面（６．１）がヒューズ外壁の上部カバー（１．２ｇ）の上に突出し、ヒューズのヒューズリンク（３．１）が飛んだことをさらに示し／表示することをさらに結論付けることもできる。ヒューズのカートリッジ内のヒューズリンクの状態についての表示及び報告も、開始位置から最終位置に移動するインジケータ薄板（２．１）が、微小スイッチ（１．１）の作用レバー（１１．３）を自由位置から圧縮位置にシフトさせ、その後、選択された接点回路の切り替えが続けられ、開始位置がインジケータ薄板（２．１）にある間、微小スイッチ（１１）の作用レバー（１１．３）が自然に自由位置を占めるように、ヒューズ筐体の上部カバー（１．２ｇ）に配置されて固定された微小スイッチ（１１）上で可動部として作用するインジケータ薄板（２．１）の追加の特徴を通して達成される。【選択図】      図４
2013522835.tif 000002
【特許請求の範囲】
【請求項１】
始動の所望の特徴が、一般に、適切な厚さ及び形状の銅条片で作られる適切な形状のヒューズリンクを使用して実現される、低電圧高性能ヒューズのヒューズリンク状態インジケータであって、前記ヒューズリンクは、前記ヒューズの筐体外装（１．１）の空間内部のケイ砂（３．２）内に配置され、断面形状は、選択により、正方形（方形、四辺形）又は円形から楕円形であり得、両側に、ネジ（１．３）を使用して、前記ヒューズ筐体の固定カバー（１．２）、接続要素（１．４）が前記ヒューズ筐体のカバー（１．２）を貫通し、前記接続要素（１．４）を用いて、閉じられた空間が作られ、前記空間内部では、環境の影響、前記ヒューズの前記ヒューズリンクの作用（３．１）、並びに前記溶融表示ワイヤ（３．３）なく、低電圧高性能ヒューズのヒューズリンクカートリッジのインジケータ組立体は、適切な形状の可動部の備え、前記可動部はインジケータ薄板のチャネル（３．８）内に配置され、前記チャネル（３．８）は前記ヒューズの前記筐体外壁（１．１）に作られ、それにより、前記インジケータ組立体の前記可動部は、２つの最外部である開始位置と最終位置との間で移動し、前記可動部に対して、特定の方法で、生み出された力が、前記可動部を前記開始位置から前記最終位置に変位させる方向に作用し、そのシフトは、前記ヒューズ筐体カバーの下部カバー（１．２ｄ）及び上部カバー（１．２ｇ）に固定され、同時に、前記可動部の上前縁部（３．１１）の前でピンと張られ、前記ヒューズの前記ヒューズリンク（３．１）に電気的に並列接続された溶融表示ワイヤ（３．３）により物理的に回避され、この状態は、前記ヒューズの前記ヒューズリンク（３．１）が飛び、それにより、前記溶融表示ワイヤ（３．３）自体が飛ぶまで続き、それにより、可動部を最終位置まで移動させる物理的な障害がなくなる、低電圧高性能ヒューズのヒューズリンク状態インジケータであって、圧縮バネ（４．１）が、前記インジケータ薄板（２．１）の前記チャネル（３．８）の下部に配置され、端部のうちの一方が前記ヒューズ筐体の前記下部カバー（１．２ｄ）に寄りかかり、他方の端部が前記インジケータ薄板（２．１）の下前縁部（３．１０）に寄りかかった状態で押し、それにより、必要な変位力ＦＰ（３．９）でもって前記インジケータ薄板（２．１）に作用し、前記インジケータ薄板（１．２）を前記開始位置から前記最終位置に移動させる傾向を有し、前記インジケータ薄板（１．２）の長さはｈＬであり、前記圧縮バネ（４．１）の一端部が寄りかかっている前記インジケータ薄板（１．２）の下前縁部（３．１０）が、常に、したがって開始位置及び最終位置の両方において、前記ヒューズの前記筐体／外装（１．１）の前壁（３．６）の前部にある前記インジケータ開口部（１．６）の下縁部（３．１３）よりも下にあるような形状であり、そこで、前記インジケータ薄板（２．１）が、全厚ｄＬ（５．１）を通して適切な位置に、裂け目（４．２）が作られるように設計され、前記裂け目（４．２）が、前記ヒューズの前記筐体／外装（１．１）の前記前壁（３．６）の前部にある前記インジケータ開口部（１．６）の形状、サイズ、及び位置に対して、前記インジケータ薄板（２．１）の前記最終位置において、前記裂け目（４．２）と前記インジケータ開口部（１．６）とが一致するような形状及びサイズのものであり、且つそのように前記インジケータ薄板（２．１）に配置され、それにより、前記ヒューズ外壁の前記インジケータ開口部（１．６）を通して、前記インジケータ薄板表面のいかなる部分も見えず（２．１）、前記圧縮バネ（４．１）のいかなる部分も見えないことを特徴とする、低電圧高性能ヒューズのヒューズリンク状態インジケータ。
【請求項２】
前記インジケータ薄板（２．１）が、射出技術で選ばれた色の任意の１つの主に熱可塑性の材料で完全に作られるか、又は前記インジケータ薄板（２．１）の全体が、任意の１つの材料で作られ、次に、選ばれた色で全体的に塗装され、両方の場合で、選ばれる色が、前記インジケータ薄板（２．１）が前記開始位置にある場合に、前記ヒューズ筐体壁の前記インジケータ開口部（１．６）を通して可視である必要がある印（３．５）の色と同一であってもよいが、異なってもよいことを特徴とする、請求項１に記載の低電圧高性能ヒューズのヒューズリンク状態インジケータ。
【請求項３】
前記表面（６．１）が、前記インジケータ薄板（２．１）の上前縁部（３．１１）に隣接する一体部分として、前記インジケータ薄板（２．１）の前記最終位置において、前記ヒューズ筐体の前記上部カバー（１．２ｇ）の上に突出し、前記インジケータ薄板（２．１）が、前記適切な色の前記印（３．５）と共に、前記印（３．５）が、前記インジケータ薄板（２．１）のこの最終位置において、前記ヒューズ筐体壁の前記インジケータ開口部（１．６）を通して可視又は不可視であり、前記ヒューズの前記ヒューズリンク（３．１）が飛んだか否かについての追加の表示を表すことを特徴とする、請求項１又は２に記載の低電圧高性能ヒューズのヒューズリンク状態インジケータ。
【請求項４】
前記最終位置にある前記インジケータ薄板（２．１）の前記可視部の前記表面（６．１）が、正方形、方形（８．１）、感嘆符（８．４）、若しくは電気短絡（８．３）の状態を示すために一般に使用される適切なシンボルの形状に設計されるか、又は所望のシンボルが、例えば、前記感嘆符（８．４）若しくは上述したシンボルのうちのいくつかとして、この表面に接着され、若しくは塗装されることを特徴とする、請求項３に記載の低電圧高性能ヒューズのヒューズリンク状態インジケータ。
【請求項５】
前記インジケータ薄板（２．１）が、裂け目（４．２）を有さず、最終位置において、前記圧縮バネ（４．１）の一端部に対して押された下前縁部（３．１０）が、前記インジケータ開口部（１．６）の前記下縁部（３．１３）の下の位置を占めるような長さｈＬのものであり、且つそのような形状であり、前記インジケータ薄板（２．１）上に、所望の色の適切な形状の層を塗装することにより、１つ、２つ、又は３つすべての印が掲示され（３．５）、（３．５ｄ）、（６．１）、それにより、前記ヒューズ筐体／外装（１．１）の前記前壁（３．６）の前部の前記インジケータ開口部（１．６）を通して、１つの印（３．５）が前記開始位置で可視であり、第２の印（３．５ｄ）が、印（６．１）と同時に前記インジケータ薄板（２．１）の前記最終位置において可視であることを特徴とする、請求項１又は２に記載の低電圧高性能ヒューズのヒューズリンク状態インジケータ。
【請求項６】
前記圧縮バネ（４．１）が、円形（９．１）、楕円形（９．２）、又は積層（９．３）のような形状のうちの１つに設計されることを特徴とする、請求項１、２、３、４、及び５に記載の低電圧高性能ヒューズのヒューズリンク状態インジケータ。
【請求項７】
前記圧縮バネ（４．１）と前記インジケータ薄板（２．１）との間には、確実で耐久性があり、しっかりとした接続があり、前記接続は、自由状態で内寸ｄＯＳ（１０．１）を有する前記圧縮バネ（４．１）が、低減寸法ｄＯＭ（１０．２）を有する前記インジケータ薄板（２．１）の部分で引っ張られるように達成され、前記圧縮バネ（４．１）の前記内寸ｄＯＳ（１０．１）が、前記インジケータ薄板（２．１）の前記低減寸法ｄＯＭ（１０。２）よりも特定の量だけ小さいことを特徴とする、請求項６に記載の低電圧高性能ヒューズのヒューズリンク状態インジケータ。
【請求項８】
インジケータ薄板の位置を電気的に通知可能な微小スイッチも含む、ヒューズのヒューズリンクが飛んだか否か、低電圧高性能ヒューズのヒューズリンク状態インジケータであって、前記微小スイッチ（１０）が、前記ヒューズ筐体の上部カバー（１．２ｇ）上に配置されて適宜固定され、それにより、２つの可能な外側の自由位置及び圧縮位置を有する作用レバー（１１．３）上で、前記インジケータ薄板が、前記微小スイッチ（１１）の前記作用レバー（１１．３）が自然に前記自由位置を占める場合、前記開始位置からの移動中に作用し（２．１）、最終位置を達成する前記インジケータ薄板（２．１）が、前記微小スイッチ（１１）の関係する作用レバー（１１．３）に作用し、その結果、前記インジケータ薄板（２．１）が、自由位置から圧縮位置に前記微小スイッチ（１１）の前記作用レバー（１１．３）をシフトさせ、次に、ＮＯ接点及びＮＣ接点（１１．２）の対応するコネクタ（１１．１）との前記微小スイッチ（１１）の選択された接点回路が切り替えられることを特徴とする、低電圧高性能ヒューズのヒューズリンク状態インジケータ。
【発明の詳細な説明】
【技術分野】
【０００１】
本発明は、低電圧高性能ヒューズカートリッジの一体要素であり、ヒューズリンク状態の視覚的表示、ヒューズリンクが始動したか、それともこれがまだ発生していないかについての信頼性の高い結論を与えるインジケータの解決策に関する。本発明が関連する技術分野は、国際特許分類に従ってＨ０１Ｈ８５／３０として指定される。
【背景技術】
【０００２】
本発明を使用して解決すべき技術的課題は、普通ならユーザ保護の目的で公衆電力網内に構築される特定の低電圧高性能ヒューズが、誤作動、過負荷、又は短絡により飛んだか否かについての情報を高い信頼性で素早く提供する必要性から生じる。
【０００３】
一般に、低電圧高性能ヒューズが、電気エネルギー源から電力網、1人又は複数の消費者を通して電力供給される分岐への低電圧電力網内に構築されること、及びこのヒューズの機能が、網から電力供給される消費者の保護を保証することであることが既知である。特定の分岐での特定のヒューズにより保護される1人又は複数の消費者での誤作動、過負荷、又は短絡の場合、その後、分岐内に構築されたヒューズが始動し、特に、各ヒューズのカートリッジ内のヒューズリンクが飛び、これは、それぞれ電源との電気接続を物理的に絶ち、源から保護されている消費者への電力の供給を切断するという影響を有する。
【０００４】
消費者と電力源との接続を実際に絶たせる、ヒューズカートリッジ内のヒューズリンクを溶融させるヒューズの動作により、大きな故障及び破損の回避が達成されるが、同時にこれは、各消費者が電力をなくすことを意味し、利用できるすべての対策をとって、この状況が持続する時間を可能な限り短くする必要がある。
【０００５】
この文脈の中で、特に重要なのは、ヒューズ動作の中でヒューズリンクが溶融した後、このヒューズカートリッジが使用不可能になること、及び誤作動の原因が特定され、故障が修復された後、ヒューズリンクが溶融した各ヒューズカートリッジを適切な新しいヒューズカートリッジと交換する必要があることである。したがって、故障の原因を検出して修正し、そして飛んだヒューズのヒューズカートリッジを交換して、飛んだヒューズにより保護されている各消費者の電力供給を再確立可能なことを保証することができるように、可能な限り素早く、好ましくは瞬時に特定のヒューズの始動を高い信頼性で検出する必要性及びそのような検出への関心を理解することができる。
【０００６】
この状況は、特定のヒューズの始動により電力網内で特定の消費者への電力供給の中断が生じたか否かについての情報を、各ヒューズカートリッジのヒューズリンクの状態への洞察、すなわち、ヒューズリンクが溶融したか否かから導出する必要性に触れる技術的問題への解決策の発見に重大な影響を有する。したがって、ヒューズの飛んだヒューズリンクは、ヒューズが始動したことを示し、他方で、飛んでいないヒューズリンクは、ヒューズが始動しなかったことの高い信頼性の手掛かりである。
【０００７】
ヒューズリンク状態への所望の洞察、ヒューズリンクの溶融を通して、ヒューズの始動が発生したか否かについての高い信頼性の結論のそれぞれを得るに当たり、ヒューズリンクが、一般に外壁がステアタイトという非透明材料で作られるため、ヒューズカートリッジ内部に配置されたヒューズリンクが外部から完全に見えないヒューズカートリッジ筐体内部に配置されることに起因する問題が生じる。
【０００８】
したがって、ヒューズカートリッジのヒューズリンクが飛んだか否かの判断は、内蔵ヒューズカートリッジをそのまま観察することを通して下すことができず、この達成は、ヒューズインジケータの名称で既知の、ヒューズカートリッジ内に適宜組み込まれる追加の要素組立体を使用して、間接的なままである。
【０００９】
したがって、技術的問題の解決は、個々の低電圧高性能ヒューズカートリッジ内に適宜組み込まれたインジケータを備える適切な追加の要素組立体の発明からなる。
【００１０】
この追加の組立体の構造は、特定の安全な距離からであっても、このヒューズにより保護される網内の電流過負荷及び／又は短絡により、ヒューズが作動した結果、ヒューズ内のヒューズリンクの溶融が発生したか、それともヒューズリンクの溶融が発生しなかったかを確実に素早く結論付ける洞察を可能にする必要がある。
【００１１】
カートリッジヒューズ内のヒューズリンクの状態インジケータの名称で本発明によりこの追加の組立体を解決することで、技術的問題の解決策が得られる。
【００１２】
３．先行技術
既知のように、所望の特徴のヒューズ作動を得るために、ヒューズのヒューズリンク（３．１）は一般に、適切な厚さで適切な形状であり、適切な方法で形成された銅条片で作られ、次に、ヒューズのケイ砂（３．２）内に配置される。接続要素（１．４）が貫通するヒューズ筐体カバー（１．２）が、取り付けネジ（１．３）を用いてヒューズリンクの筐体外装（１．１）に固定され、それにより、環境的影響がない閉じられた空間が作られ、その空間は、ケイ砂で囲まれたヒューズのヒューズリンク（３．１）に作用する。ヒューズ筐体外装（１．１）は所望の断面で設計することができるため、方形、正方形、及び円形の断面のものが知られているが、他の断面形も可能である。
【００１３】
実際の先行技術によりカバーされる、関わる技術的問題に対するすべての解決策は実際に、従来通り低電圧高性能ヒューズのために設計されたカートリッジ内に組み込まれた別個の組立体として実現される。これらの別個の組立体の必須的な一体部分は、コネクタ（３．４）及び（４．３）により機械的且つ電気的に確実に固定されたヒューズ筐体カバー（１．２）の上部カバー（１．２ｇ）と下部カバー（１．２ｄ）との間にわたされた溶融表示ワイヤ（３．３）である。ワイヤは、ピンと張った状態であり、ヒューズのヒューズリンク（３．１）に並列して電気的に接続され、それにより、関わるヒューズにより保護される電力網での電流過負荷又は短絡の発生時に、溶融によりヒューズのヒューズリンク（３．１）が飛び、略同時に、断面がヒューズのヒューズリンク（３．１）よりも実質的に小さいことにより、溶融表示ワイヤ（３．３）も飛ぶ。
【００１４】
それに加えて、これらの解決策のすべてでは、溶融表示ワイヤ（３．３）が、ピンと張った状態で、インジケータ層板の上前縁部（３．１１）の前に配置されて、変位力ＦＰ（３．９）の影響にも拘わらず、インジケータ薄板の変位及び移動を確実に回避するように、ヒューズカートリッジ内に組み込まれる。
【００１５】
したがって、上述したように組み込まれた溶融表示ワイヤ（３．３）は、変位力ＦＰ（３．９）の作用にも拘わらず、インジケータ薄板チャネル（３．８）内部でのインジケータ薄板（２．１）の変位及び移動を回避する手段として使用され、それにより、ヒューズ自体のヒューズリンク（３．１）の飛びと略同時に発生する溶融表示ワイヤ（３．３）の飛びの後でのみ、この物理的な障害が消え、インジケータ薄板チャネル（３．８）内部での（開始）位置から他方の完全な（最終）位置へのインジケータ薄板の移動が可能になる。
【００１６】
インジケータ薄板（２．１）がチャネル（３．８）内部で移動可能なことにより、特定の変位力ＦＰ（３．９）が可能であり、この変位力ＦＰ（３．９）は、開始位置にある間にインジケータ薄板（２．１）に対して永久的に作用して、最終位置に移動させようとするが、最終位置は、飛ぶ瞬間まで常に、上述したように溶融表示ワイヤ（３．３）を回避する。
【００１７】
インジケータ薄板（２．１）は、その他の部分はインジケータ薄板チャネル（３．８）内部に配置され、チャネル（３．８）の断面は通常、方形であり、ヒューズ筐体の高さの部分又は全体の前壁（１．５）に軸方向に作られる。インジケータ薄板チャネル（３．８）内部のインジケータ薄板（２．１）は、２つの完全な位置である開始位置と最終位置との間で移動可能である。
【００１８】
インジケータ薄板を開始位置から最終位置に移動させる力ＦＰ（３．９）を生成する方法によれば、インジケータ組立体の解決策が認められる。
【００１９】
既知の先行技術によるすべての解決策では、インジケータ薄板（２．１）の２つの完全な位置の一方は、ヒューズ内のヒューズリンク（３．１）が飛んだ場合の状態を反映し、通常は開始位置であり、開始位置では、ヒューズ外装前壁（３．５）の前部にあるインジケータ開口部（１．６）を通して、インジケータ薄板表面の適切な部分が可視であり、特定の印（３．５）、すなわち色、通常は印（３．５）としてインジケータ薄板に塗装される赤を示す。その他の場合、ヒューズ外装前壁（３．６）の前部にあるインジケータ開口部（１．６）は通常、丸い形状である。
【００２０】
それに対応して、他方の完全な最終位置は、ヒューズが作動し、ヒューズのヒューズリンク（３．１）が飛び、それにより、溶融インジケータワイヤ（３．３）が飛んだ場合の状態でインジケータ薄板（２．１）を占め、インジケータ薄板は、インジケータ薄板に対する変位力ＦＰ（３．９）の作用下にあり、インジケータ薄板チャネル（３．８）に沿って開始位置から最終位置に移動する。
【００２１】
既知の先行技術による解決策の大部分では、この最終位置において、ヒューズ外壁のインジケータ開口部（１．６）を通して、印（３．５）はインジケータ薄板（２．１）に見えず、インジケータ薄板（２．１）のいかなる部分も見えず、その理由は、この位置では、インジケータ薄板（１．６）の下前縁部（３．１０）が、ヒューズ筐体（１．５）のヒューズ外装前壁（３．６）の前部にあるインジケータ開口部の上縁部（３．１２）の上の位置を占めるためである。
【００２２】
インジケータ組立体の技術的解決策の分野での先行技術は、ヒューズのヒューズリンクが飛んだか否か、電流過負荷又は短絡によるヒューズ作動においてヒューズリンクが飛んだか、又はまだ飛んでいないかのそれぞれを結論づける可能性を付与する数グループのインジケータ組立体設計を含む。
【００２３】
基本的に、既知の先行技術（（特許文献１）、（特許文献２）、（特許文献３）、（特許文献４）、（特許文献５）、（特許文献６）、（特許文献７）、（特許文献８）、（特許文献９）、（特許文献１０）、（特許文献１１）、（特許文献１２）、（特許文献１３）、（特許文献１４）、（特許文献１５）、（特許文献１６）、（特許文献１７）、（特許文献１８）、（特許文献１９）、（特許文献２０）、及び（特許文献２１））に含まれるすべての解決策に共通するのは、ヒューズ状態のヒューズリンク（３．１）について結論が、インジケータ薄板（２．１）の２つの可能な完全な位置、ヒューズのヒューズリンク（３．１）が飛ぶ前の状態を占める開始位置又はヒューズのヒューズリンク（３．１）がすでに飛んだ状態を占める最終位置に基づいて行われることである。
【００２４】
同様に、上述した特許文献において提示される解決策のすべてに共通するのは、インジケータ薄板のインジケータ薄板チャネル（３．８）内部のインジケータ薄板（２．１）の２つの可能な完全な位置のうちの一方で、結論が、インジケータ薄板（２．１）の色に基づいて行われることであり、色は、完全な位置では、ヒューズ筐体の前壁（３．６）の前部にあるインジケータ開口部（１．６）を通して可視である。
【００２５】
これは、インジケータ薄板（２．１）の適切な部分が特定の色、通常、赤で塗装され、インジケータ薄板（２．１）に印（３．５）を形成するように達成され、印（３．５）は、インジケータ薄板（１．２）の開始位置において、ヒューズ筐体の前壁（３．６）の前部にあるインジケータ開口部（１．６）を通して可視であり、それにより、ヒューズ内のヒューズリンク（３．１）が溶融していない状態を示す。
【００２６】
大半の解決策は、ヒューズリンク（３．１）が飛び、それにより、溶融表示ワイヤ（３．３）も飛んだ状態において、特定の変位力の作用下にあるインジケータ薄板が、インジケータ薄板（２．１）の下前縁部（３．１０）がヒューズ筐体（１．５）のヒューズ外装前壁（３．６）の前部にあるインジケータ開口部の上縁部（３．１２）の上の位置を占める完全な位置に移動するように設計され、それにより、ヒューズ外装前壁（３．６）の前部にあるインジケータ開口部（１．６）を通して、印（３．５）を見ることができず、表面の適切な部分に塗装された色を見ることもできず、インジケータ薄板（２．１）のいかなる部分も見ることができない。
【００２７】
しかし、上記解決策とは異なり、インジケータ薄板（２．１）が、完全な位置でのインジケータ薄板（２．１）の延長により、下前縁部（３．１０）がヒューズ外装前壁にあるインジケータ開口部（１．６）の下縁部（３．１３）の下に見られるような長さを有し、適宜延びたインジケータ薄板（２．１）上に、２つの印が染められ、したがって、上記印（３．５）、追加の印（３．５ｄ）と共に、設計を含む解決策（例えば、（特許文献１０））も存在する。これは、２つの通常は異なる色を、ヒューズ外壁のインジケータ開口部（１．６）を通して、インジケータ薄板（２．１）の位置（開始又は最終）に応じて、インジケータ薄板（２．１）上の印：印（３．５）又は追加の印（３．５ｄ）のうちの一方を見ることができるようにインジケータ薄板（２．１）の適宜配置された２つの別個のエリアに染めることにより達成され、各色は、ヒューズ内のヒューズリンク（３．１）が飛んでいない／飛んだ状態のうちの一方を指す。
【００２８】
ヒューズのヒューズ外装前壁にあるインジケータ開口部（１．６）を通して可視の印（３．５）及び印（３．５ｄ）として染められたインジケータ薄板（２．１）の異なる色のエリアに基づいて、ヒューズ内のヒューズリンク（３．１）が飛んでいない／飛んだ状態を結論付けることができる。
【００２９】
ヒューズ外壁にあるインジケータ開口部（１．６）を通して可視のインジケータ薄板（２．１）の適切なエリアに染められた適切な色の印（３．５）及びおそらくは印（３．５ｄ）のそれぞれに基づいて結論付けることに加えて、相当数の解決策（（特許文献１）、（特許文献２）、（特許文献４）、（特許文献２２）、（特許文献２３））では、インジケータ薄板（２．１）の完全な位置において、上前縁部（３．１１）に隣接する表面の部分が、完全な位置での表面のこの部分がヒューズ筐体の上部カバー（１．２ｇ）よりも上に突出するため、可視になることに基づいて、カートリッジ内のヒューズリンク（３．１）が飛んでいない／飛んだ状態についてさらに結論付ける可能性が保証される。完全な位置において可視のインジケータ薄板表面（６．１）のこの部分は、適宜、通常は赤色で染められる。
【００３０】
インジケータ薄板（２．１）の完全な位置でのインジケータ薄板（２．１）の表面（６．１）のこの部分の顕著性は、ヒューズ外壁にあるインジケータ開口部（１．６）を通して同時に可視であるものと組み合わせて（インジケータ薄板（２．１）のいかなる部分も見えず、又は印３．５ｄも見えない状態で）、ヒューズリンクが飛んだ状態の二重表示として解釈される。
【００３１】
上述した解決策では、インジケータ薄板（２．１）の開始位置において、インジケータ薄板（２．１）が全体的にインジケータ薄板チャネル（３．８）内部にあるため、上前縁部（３．１１）に隣接するいかなる表面部分（６．１）もヒューズ筐体の上部カバー（１．２ｇ）の上では見えないことは一目瞭然であり、これは、ヒューズ外壁の前部にあるインジケータ開口部（１．６）を通して可視であるもの（３．５と記される）と共に、ヒューズのヒューズリンク（３．１）が飛んでいないことをさらに示す。
【００３２】
先行技術に含まれる技術的解決策間の違いは特に、インジケータ薄板チャネル（３．８）に沿ってインジケータ薄板（２．１）を２つの完全な開始位置と最終位置との間で変位させる力ＦＰ（３．９）を生成する方法で明らかになる。
【００３３】
したがって、特定の特許文献（例えば、（特許文献１）、（特許文献４）、及び（特許文献２１））によれば、ヒューズのヒューズリンク（３．１）がまだ飛んでいない場合の状態を反映する開始位置及びヒューズのヒューズリンク（３．１）が飛んだ状態でインジケータ薄板（２．１）が占める達しつつある最終位置から、インジケータ薄板（２．１）をインジケータ薄板チャネル（３．８）に沿って変位させる力ＦＰ（３．９）は、インジケータ薄板（２．１）の上前縁部（３．１１）に隣接するインジケータ薄板チャネル（３．８）のいくらか広がった上部に配置された圧縮バネを生成する。
【００３４】
圧縮バネのそのような配置を実現するために、インジケータ薄板（２．１）の部分を、圧縮バネを通して引っ張る必要があり、したがって、インジケータ薄板（２．１）の特定の部分を適宜狭めて、圧縮バネにより生み出される変位力ＦＰ（３．９）の作用下で邪魔されずに移動できるようにする。
【００３５】
他方、特許文献（例えば、（特許文献２）、（特許文献３）、（特許文献５）、（特許文献６）、（特許文献８）、（特許文献９）、（特許文献１０）、（特許文献１４）、（特許文献１９）、（特許文献２０））による先行技術に含まれる相当数の技術的解決策では、インジケータ薄板（２．１）をインジケータ薄板チャネル（３．８）内で開始位置から変位させる力ＥＰ（３．９）は、インジケータ薄板（２．１）が弾性のある金属シートで作られ、部分のうちの１つが、インジケータ薄板（２．１）の開始位置において、インジケータ薄板（２．１）を変位させるために必要な力ＦＰ（３．９）を生成できるようにする弾性を有するように形成されることにより、インジケータ薄板（２．１）自体を生成する。これは、溶融表示ワイヤ（３．３）が飛ぶと、通常、ヒューズ筐体の上部カバー（１．２）の上に配置されるインジケータ薄層の適宜形状の弾性部分が始動するように起こり、それにより、インジケータ薄板（２．１）を変位させる力ＦＰ（３．９）が邪魔されずに作用し、インジケータ薄板（２．１）を開始位置からチャネル（３．８）に沿って最終位置に移動できるようにするもの。
【００３６】
同じであるが、インジケータ薄板（２．１）の設計がいくらか異なる概念が、その他の特許文献、例えば、（特許文献１７）、（特許文献１６）、及び（特許文献２４）による解決策に適用される。
【先行技術文献】
【特許文献】
【００３７】
【特許文献１】欧州特許第１  ５６０  ２４５号
【特許文献２】欧州特許第１  ６１２  ８２６号
【特許文献３】欧州特許第１  ５１３  １８０号
【特許文献４】独国特許第１  ３４５  ２４７号
【特許文献５】独国特許第１００  ６６  ０７５号
【特許文献６】独国特許第１００  ０５  １４５号
【特許文献７】国際公開第００／１１６９８号
【特許文献８】国際公開第９９／４０  ５９９号
【特許文献９】独国特許第１９７  ４４  ５３５号
【特許文献１０】独国特許第１９７  ２３  ５４０号
【特許文献１１】独国特許第１９６  ４４  ９０１号
【特許文献１２】国際公開第９８／０７  １７２号
【特許文献１３】国際公開第９８／０７  １７０号
【特許文献１４】独国特許第４２  ３６  ２１２号
【特許文献１５】欧州特許第０  ４２０  ３５１号
【特許文献１６】欧州特許第０  ２０１  ７１４号
【特許文献１７】独国特許第３２  ０３  ２１１号
【特許文献１８】欧州特許第０  ０４９  ３７４号
【特許文献１９】欧州特許第０  ０４４  ９９７号
【特許文献２０】仏国特許第１  ４６５  ３９７号
【特許文献２１】独国特許第１０  ３４  ７５１号
【特許文献２２】独国特許第１９８  ０４  ７７７号
【特許文献２３】独国特許第１９７  ４４  ５３５号
【特許文献２４】欧州特許第１  ２１３  ４０４号
【特許文献２５】米国特許第２  ７９７  ２７９号
【発明の概要】
【発明が解決しようとする課題】
【００３８】
インジケータ薄板（２．１）の弾性のみにより生じる、インジケータ薄板（２．１）をインジケータ薄板チャネル（３．８）内で初期位置から変位させる力ＦＰ（３．９）の量が、実際には、利用可能な力を与えるインジケータ薄板（２．１）が、インジケータ薄板（２．１）の追加の遠隔電気通知の可能性を可能にする微小スイッチを切り替えもするような、最終位置へのインジケータ薄板（２．１）の移動を使用可能な解決策を除き、重大な制限をもたらすことが事実であり、そのような解決策は既知の先行技術では満たされていない。
【００３９】
上記特許文献に含まれる既知の先行技術によるいかなる解決策も、インジケータ薄板（２．１）をインジケータ薄板チャネル（３．８）内で２つの完全な開始位置と最終位置との間で変位させる力ＦＰ（３．９）が、インジケータ薄板チャネル（３．８）の下部に配置された圧縮バネにより生成され、それにより、一端部がヒューズ筐体の下部カバー（１．２ｄ）により支持された圧縮バネが、他端部と共に、インジケータ薄板（２．１）の下前縁部（３．１０）を押すインジケータ組立体を含まないことを強調することが極めて重要である。
【課題を解決するための手段】
【００４０】
本発明の本質は、インジケータ薄板（２．１）を開始位置と最終位置との間で変位させる力ＦＰ（３．９）が、インジケータ薄板（２．１）のチャネル（３．８）の下部に配置された圧縮バネ（４．１）により生成され、それにより、一端部がヒューズ筐体の下部カバー（１．２ｄ）により支持された圧縮バネ（４．１）が、他端部と共に、インジケータ薄板（２．１）の下前縁部（３．１０）を変位させる力ＦＰ（３．９）で押して、インジケータ薄板（２．１）に必要な力で作用し、インジケータ薄板（２．１）を初期位置から最終位置に移動させようとし、そこで、インジケータ薄板（２．１）が、全厚ｄＬ（５．１）を通して適切な位置に、裂け目（４．２）が作られるように設計され、裂け目（４．２）が、ヒューズ筐体（１．１）のヒューズ外装前壁（３．６）の前部にあるインジケータ開口部（１．６）の形状、サイズ、及び位置に対して、ヒューズ外壁にあるインジケータ開口部（１．６）を通して、インジケータ薄板（２．１）のいかなる部分も見えず、したがって、インジケータ薄板（２．１）自体の色又はインジケータ薄板（２．１）に染められた色であるいかなる色も見えないような、裂け目（４．２）とインジケータ開口部（１．６）との覆いが得られるような形状、サイズ、及びインジケータ薄板（２．１）上の位置を有することに含まれる。
【００４１】
それに加えて、インジケータ薄板（２．１）は長さｈＬを有し、圧縮バネ（４．１）の一端部を支持する下前縁部（３．１０）が常に、つまり開始位置及び最終位置において、ヒューズ筐体（１．１）のヒューズ外装前壁（３．６）の前部にあるインジケータ開口部（１．６）の下縁部（３．１３）の下にあるような形状であるが、インジケータ薄板（２．１）の最終位置ではなお、ヒューズ外壁のインジケータ開口部（１．６）を通して、圧縮バネ（４．１）のいかなる部分も見ることができず、インジケータ薄板（２．１）が、全厚ｄＬ（５．１）を通して適切な位置に、上で指定したように作られた裂け目（４．２）を有するように設計されることから達成される。
【００４２】
上述した既知の先行技術でのように、本発明による解決策では、インジケータ薄板チャネル（３．８）に沿った開始位置から最終位置へのインジケータ薄板（２．１）の移動は、溶融表示ワイヤ（３．３）により阻止され、溶融表示ワイヤ（３．３）は、下部結合部（３．４）においてヒューズ筐体の下部カバー（１．２ｄ）、上部結合部（３．１４）において上部カバー（１．２ｇ）にしっかりと接続されるとともに、ヒューズのヒューズリンク（３．１）に電気的に並列接続され、インジケータ薄板の上前縁部（３．１１）の上にピンと張った状態に置かれ、それにより、開始位置から最終位置へのインジケータ薄板（２．１）の移動は、溶融表示ワイヤ（３．３）が飛ぶまで不可能であり、溶融表示ワイヤ（３．３）の飛びは、溶融表示ワイヤの断面がヒューズのヒューズリンク（３．１）よりも本質的に小さいことにより、ヒューズのヒューズリンク（３．１）の飛びと同時に発生する。
【００４３】
インジケータ薄板がインジケータ薄板チャネル（３．８）から完全に放り出された完全な位置になる可能性の回避は、インジケータ薄板（２．１）の変位リミッタ（４．３）を使用して実施され、上前縁部（３．１１）に隣接する適切な部分ｈＰ（５．５）でのインジケータ薄板（２．１）の寸法がわずかに低減されるように実現され、このセクタではそれぞれ、インジケータ薄板（２．１）は、縮小幅ｂＰ（５．３）及び縮小厚ｄＰ（５．４）で作られ、それにより、これらの縮小寸法は、ヒューズ筐体のカバー（１．７）の開口部の寸法よりも十分に小さく、縮小寸法ｂＰ（５．３）及びｄＰ（５．４）を有するインジケータ薄板（２．１）の部分のみへの自由通過が可能である。
【００４４】
本発明による解決策では、溶融表示ワイヤ（３．３）が飛び、ヒューズのヒューズリンク（３．１）の飛びと同時に起こり、したがって、チャネル（３．８）に沿ったインジケータ薄板（２．１）の移動の障害物が消えた場合、インジケータ薄板（２．１）のチャネル（３．８）の下部に配置され、インジケータ薄板を変位させる力ＦＰでインジケータ薄板（２．１）の下前縁部（３．１０）に作用する圧縮された圧縮バネ（４．１）は、チャネル（３．８）に沿った開始位置から最終位置へのインジケータ薄板の変位を生じさせ、最終位置では、インジケータ薄板（２．１）の寸法の下前縁部（３．１０）は、ヒューズのヒューズ筐体／外壁（１．１）の前部（３．６）にあるインジケータ開口部（１．６）の下縁部（３．１３）の下の位置を占め、それにより、ヒューズ外壁にあるインジケータ開口部（１．６）を通して、インジケータ薄板（２．１）の下前縁部（３．１０）が見えず、圧縮バネ（４．１）の他のいかなる部分も見えないことが達成される。
【００４５】
インジケータ薄板（２．１）の下前縁部（３．１０）がインジケータ開口部（１．６）の下縁部（３．１３）よりも下の位置をとるが、インジケータ薄板（２．１）の最終位置において、ヒューズ外壁にあるインジケータ開口部（１．６）を通して、圧縮バネ（４．１）のいかなる部分も見えないだけでなく、インジケータ薄板（２．１）のいかなる部分も見えないことを達成する本発明による技術的解決策は、本発明の極めて重要なさらなる構成要素を表し、この構成要素は、インジケータ薄板（２．１）が、全厚ｄＬ（５．１）を通して適切な位置に、裂け目（４．２）が作られるような長さｈＬ及び形状のものであることからなり、裂け目（４．２）は、インジケータ開口部（１．６）の形状、サイズ、及び位置に関して、インジケータ薄板（２．１）の最終位置において、インジケータ開口部（１．６）を通して、インジケータ薄板表面（２．１）のいかなる部分も見えず、したがって、インジケータ薄板（２．１）自体の色又はインジケータ薄板（２．１）に染められた色であるいかなる色も見えないような形状、サイズ、及びインジケータ薄板（２．１）上の位置を有し、普通なら、ヒューズのニューズリンク（３．１）が飛んだことの表示として解釈される。
【００４６】
本発明によるインジケータ薄板（２．１）の実施、インジケータ薄板（２．１）の最終位置において、インジケータ外壁にあるインジケータ開口部を通して、インジケータ薄板（２．１）のいかなる部分も見えないだけでなく、下前縁部（３．１０）の近傍の部分も見えないことが達成され、色が見えず、インジケータ薄板（２．１）自体の色又はインジケータ薄板（２．１）に染められた色であるいかなる色も見えないことを意味する。当然ながら、インジケータ薄板（２．１）のこの最終位置では、圧縮バネ（４．１）のいかなる部分も見えない。本発明によるこの解決策は、先行技術による既知の一般的で支配的な代替の解決策と同じ結果をもたらし、それらの代替の解決策でも、インジケータ薄板（２．１）の最終位置では、ヒューズ外壁にあるインジケータ開口部（１．６）を通して、インジケータ薄板（２．１）のいかなる部分も見ることができず、したがって、インジケータ薄板（２．１）上の任意の色のいかなる印も見ることができず、ヒューズのヒューズリンク（３．１）が飛んだことの表示を表す。
【００４７】
任意の形状及びサイズを有し得るインジケータ薄板（２．１）の全厚ｄＬ（５．１）を通る裂け目（４．２）、原則として、裂け目（４．２）並びにインジケータ開口部（１．６）に関して、円形が最も許容可能なものであるが、チャネル（３．８）内で上述したように配置された圧縮バネ（４．１）により生み出される変位力ＦＰ（３．９）の作用を通してシフトされるインジケータ薄板（２．１）の最終位置において、ヒューズ外壁にあるインジケータ開口部（１．６）を通して、インジケータ薄板（２．１）のいかなる部分も見えないような裂け目（４．２）とインジケータ開口部（１．６）との一致が得られるような形状のインジケータ開口部（１．６）の位置、形状、及びサイズに関連する必要があり、そのような寸法を有し、インジケータ薄板（２．１）上にそのように配置されることを強調することが極めて重要であり、インジケータ薄板（２．１）を通して作られ、適宜配置された裂け目（４．２）の形状及び寸法が、ヒューズ外壁にあるインジケータ開口部（１．６）よりも十分に大きくする必要性を規定する。
【００４８】
このようにして、既知の先行技術によるいくつかの解決策が、インジケータ薄板が最終位置を占める場合の状態で与える結果と同一の結果が達成され、既知の先行技術による解決策では、インジケータ薄板（２．１）の下前縁部（３．１０）は、ヒューズ外壁にあるインジケータ開口部（１．６）の上縁部（３．１２）よりも上にあり、それにより、この位置では、インジケータ薄板（２．１）のいかなる部分も見ることができない。
【００４９】
既知の先行技術による解決策のように、本発明によるインジケータ組立体の技術的解決策でも、溶融表示ワイヤ（３．３）が飛ぶまで、インジケータ薄板（２．１）は移動できず、インジケータ薄板（２．１）のチャネル（３．８）の下部に配置された圧縮バネ（４．１）により生成されるインジケータ薄板（２．１）の変位力ＦＰ（３．９）の作用にも拘わらず、開始位置に留まり、それにより、ヒューズ外壁にあるインジケータ開口部（１．６）を通して、印（３．５）を有するインジケータ薄板（２．１）の適切な部分を見ることができ、これはヒューズのヒューズリンク（３．１）が飛んでいないことの表示として使用されるべきである。
【００５０】
既知の先行技術において以前に説明されているように、且つ世界のヒューズ製造業者の大半が使用するインジケータ組立体の解決策によれば、ヒューズのヒューズリンク（３．１）が飛んでいないことの表示として、印（３．５）が使用され、印（３．５）は、インジケータ薄板（２．１）の開始位置では、ヒューズ外壁にあるインジケータ開口部（１．６）を通して見ることができ、印は、世界のヒューズ製造業者の大半が使用するインジケータ組立体の解決策によれば、適切な色をインジケータ薄板（２．１）の関連部分に染め付けることにより作られる。
【００５１】
世界のヒューズ製造業者の大半でのこの印（３．５）は、インジケータ薄板（２．１）が開始位置にある場合、インジケータ薄板（２．１）表面のこの部分のみを、インジケータ開口部（１．６）を通して見ることができるような形状及びサイズで実現され、インジケータ薄板（２．１）上に配置される。
【００５２】
既知の先行技術によれば、且つ世界のヒューズ製造業者の大半が使用するインジケータ組立体の解決策によれば、印（３．５）の色は一般に赤であるが、他の任意の色は除外されず、広く受け入れられた慣例になることができる。
【００５３】
本発明の技術的解決策によれば、インジケータ薄板（２．１）は、印（３．５）の色と同一の色で全体的に染められるか、又は印（３．５）の色と同一の色の材料で作られるように実現し得、印（３．５）は、インジケータ薄板（２．１）が開始位置にある場合、インジケータ開口部（１．６）を通して見える必要がある。
【００５４】
赤を印（３．５）の色として受け入れる既知の先行技術並びにまだ主要な慣例ではない場合には普及を理解すべきであり、これは、本発明の技術的解決策によるインジケータ薄板（２．１）全体を赤に染めるべきであることを意味し、インジケータ薄板（２．１）全体を赤で染めることで実現してもよく、又は本質的に最適であり、本発明の解決策の重要な部分を表し、赤色の材料で作り、それにより、インジケータ薄板（２．１）が開始位置にある場合、この色でインジケータ薄板（２．１）を染める必要なく、インジケータ開口部（１．６）を通して赤色が見られることを単純に達成する。
【００５５】
本発明による上述した技術的解決策は、既知の先行技術による解決策と同様に、インジケータ薄板（２．１）の最終位置において、上前縁部（３．１１）に隣接する表面（６．１）としてのインジケータ薄板（２．１）の部分が、ヒューズ筐体の上部カバー（１．２ｇ）の上に突出し、このようにして見えるようになることに基づいて、ヒューズのヒューズリンク（３．１）の状態について追加の結論付けを可能にする実現の可能性を開く。
【００５６】
しかし、インジケータ薄板（２．１）全体が赤一色であり、全体的に赤で染色され、又は完全に赤色の材料で作られることにより、よりよい顕著性を得るために、ヒューズ筐体の上部カバー（１．２ｇ）の上に突出する上前縁部（３．１１）に隣接する表面部分（６．１）を赤色に染める手順を実行する必要性を無視し得、それなしであっても、最終位置でのインジケータ薄板（２．１）の部分としての表面の十分な顕著性が得られ、このようにして、ヒューズのヒューズリンクが飛んだ場合の状態をさらに表示する。
【００５７】
本発明によれば、表面（６．１）は、全体的に一色で実現されるインジケータ薄板（２．１）の一体部分であり、既知の先行技術及び現在支配的な慣例による解決策に一致して、赤色であり、それにより、可視性及び顕著性が得られ、この最終位置において、ヒューズ外壁にあるインジケータ開口部（１．６）を通して、何が見えるか、それとも見えないかと組み合わせて寄与する。
【００５８】
インジケータ薄板（２．１）の表面（６．１）の可視部分の可能な形状の図を図８に提示する。これまでは、インジケータ薄板（２．１）の表面（６．１）の可視部分に最も頻繁に使用される形状は、正方形（８．１）であるのに対して、本発明によれば、形状は、赤一色で実現され、一体的に実現されるインジケータ薄板（２．１）の部分を表し、したがって、感嘆符（８．４）としての形状の表面を実現してもよく、又は適切な幅のベルトとしての無色の２つの表面に分割し、それにより、離間された正方形態（８．３）を得てもよい。
【００５９】
インジケータ薄板（２．１）の可視部分に感嘆符（８．２）としての形状を有する印としての表面（６．１）は、インジケータ薄板（２．１）のこの可視部分が、感嘆符形に切断されるか、又は正方形表面（８．１）が感嘆符形表面を除き、不可視色で覆われるように実現し得る。
【００６０】
本発明による技術的解決策は、赤を含む任意の色のプラスチック材料でインジケータ薄板（２．１）を実現する可能性を開き、製造に射出技術を適用する可能性を開き、これはそれ自体で、インジケータ組立体の頑強な部分として、インジケータ薄板（２．１）の製造費を決定的にカットする。インジケータ薄板（２．１）製造用のプラスチック材料が、通常動作中並びに過負荷中にヒューズ加熱状況で温度安定性を有する必要があることは一目瞭然である。
【００６１】
さらに、不良な照明条件であっても特に強調された可視性を保証する包含的な変形、可能な全色のプラスチック材料及び微妙に異なる色のプラスチック材料の壮大な可用性は、適切な位置、サイズ、及び形状の裂け目（４．２）を有するインジケータ薄板（２．１）を、適切な赤、したがって、既知の先行技術及び適用される慣例によれば、インジケータ薄板（２．１）表面及びインジケータ薄板（２．１）の最終位置において、ヒューズ筐体の上部カバー（１．２ｇ）よりも上に見えるようになる上前縁部（３．１１）に隣接する表面部分（６．１）上での部分の印（３．５）として染められるべき色のみのプラスチック材料を射出することにより生成する可能性を開く。
【００６２】
これは、インジケータ薄板（２．１）が全体的に赤一色で実現される本発明による技術的解決策を実現する可能性を開き、印（３．５）として染色する必要性を省くとともに、最終位置において可視になる上前縁部（３．１１）に隣接する表面（６．１）の可視部分を染色する必要性を省き、これは、インジケータ薄板（２．１）、ひいてはインジケータ組立体全体の製造費を徹底的にカットする可能性を与える。
【００６３】
それに加えて、プラスチック材料射出技術を使用するインジケータ薄板（２．１）の実現は、適した設計の１つ又は複数の圧縮バネ（４．１）との密な嵌め合い及びしっかりとした接続を適宜有する下前縁部（３．１０）を実現する可能性を与える。
【００６４】
圧縮バネ（４．１）は、インジケータ薄板のチャネル（３．８）内に配置するのに適した任意の設計であり得、可能な形態が図９に示され、図９では、可能であり、最も頻繁に使用される形状の圧縮バネ、特に、円筒形（９，１）、楕円形（９．２）、及び積層（９．３）が提示される。
【００６５】
楕円型の圧縮バネ（４．１）が適用される場合、インジケータ薄板（２．１）へのしっかりとした接続は、インジケータ薄板（２．１）の下前縁部（３．１０）に隣接する適切な部分が、自由段階で圧縮バネ（４．１）の内寸ｄＯＳ（１０．１）よりもわずかに大きな寸法ｄＯＭを有し、図１０に示されるように、圧縮バネ（４．１）の数個のスリングに合うスロットを有するように実現し得る。
【００６６】
本発明による技術的解決策では変形も可能であり、変形では、インジケータ薄板（２．１）が、全体的に適切な色で作られ、既知の先行技術及び妥当な慣例によれば、赤色であるべきであるが、変形では、全厚ｄＬを通る裂け目（４．２）なしで実現される。この解決策では通常、インジケータ薄板（２．１）の開始位置では、ヒューズ外壁にあるインジケータ開口部を通して、一体的なインジケータ薄板（２．１）の色又は印（３．５）として染められた色のみが見えることになる。
【００６７】
しかし、この変形において、インジケータ薄板（２．１）の最終位置において、ヒューズ外壁にあるインジケータ開口部（１．６）を通して、いかなる色も見えないことを得るために、既知の先行技術及び支配的な慣例によれば、ヒューズのヒューズリンク（３．１）が飛んだかの表示であり、本発明による解決策では、最終位置では、普通ならインジケータ開口部（１．６）を通して可視であるはずのインジケータ薄板（２．１）の部分の非顕著性、不可視性のそれぞれを得る必要がある。
【００６８】
本発明による技術的解決策は、インジケータ薄板（２．１）の適切な第２の位置に、１つ又は複数の色が、インジケータ薄板（２．１）が最終位置にある場合、インジケータ開口部（１．６）を通して表面のこの部分のみが見られるような形状、サイズ、及び位置の印（３．５ｄ）として適用されることにあるべき既知の従来技術によるいくつかの解決策と同一の実現を可能にもする。
【００６９】
このようにして、インジケータ薄板（２．１）の開始位置において、インジケータ開口部（１．６）を通して一色が可視であることが得られ、これは、一体的なヒューズリンクの色又は印（３．５）として適用される色であり、既知の先行技術及び支配的な慣例によれば、赤色を意味し、ヒューズリンク（３．１）が飛んでいないことを示す。他方、インジケータ薄板（２．１）の最終位置では、インジケータ開口部（１．６）を通して第２の色が可視であり、第２の色は印（３．５ｄ）として適用すべきであり、ヒューズリンク（３．１）が飛んだことを示す。
【００７０】
したがって、得られる本発明による技術的解決策のこの変形の実現は、２つの異なる色がインジケータ薄板（２．１）の２つの異なる表面に適用され、それにより、特定の色がを有する印の一方（３．５）が、開始位置において、ヒューズ外壁にあるインジケータ開口部（１．６）を通して可視であり、ヒューズのヒューズリンク（３．１）がまだ飛んでいないことを示す一方で、インジケータ薄板（２．１）の最終位置にある他の色の第２の印（３．５ｄ）が、ヒューズのヒューズリンク（３．１）が飛んだ場合の状態を示すように、各色が印（３．５又は３．５ｄ）として使用される人の既知の先行技術による解決策に適切な解決策でもある。
【００７１】
インジケータ薄板のチャネル（３．８）がヒューズの筐体外装（１．１）の全高の一部分でのみ実現されることが予期される、上記引用した特許文献のうちのいくつかでの既知の先行技術による特定数の解決策に対する違いに関して、本発明による技術的解決策は、ヒューズの筐体外装（１．１）の全高にインジケータ薄板のチャネル（３．８）を実現する可能性も含み、ヒューズ筐体外装（１．１）の製造にとって有益である。
【００７２】
インジケータ薄板（２．１）に対する変位力ＦＰ（３．９）が圧縮バネ（４．１）により生成され、それにより、可動部としてインジケータ薄板（２．１）が微小スイッチ（１１）に対して作用できるようにするこの変位力の大部分を得ることが可能であり、微小スイッチ（１１）は、可能な２つの完全な自由位置及び押下位置を有する適切な作用レバー（１１．３）と、適切なコネクタ（１１．１）である、選択された接点回路のＮＯ接点及びＮＣ接点（１１．２）とを有し、微小スイッチ（１１）はヒューズ筐体の上部カバー（１．２ｇ）に配置され固定され、それにより、開始位置から最終位置に移動するインジケータ薄板（２．１）は、微小スイッチ（１１）の作用レバー（１１．３）を自由位置から押下位置にシフトさせ、それにより、その後、選択された微小スイッチ接点回路の切り替えが続き、インジケータ薄板（２．１）の開始位置にある間、微小スイッチ（１１）の作用レバー（１１．３）が自由位置を自然に占める、本発明による解決策。
【図面の簡単な説明】
【００７３】
【図１】低圧高性能ヒューズのカートリッジの外、側面図。            位置１．１：ヒューズリンクの筐体外装、            位置１．２：ヒューズ筐体のカバーの上部（１．２ｇ）及び下部（１．２ｄ）、            位置１．３：取り付けねじ、            位置１．４：ブレード、            位置１．５：ヒューズ筐体の前壁、            位置１．６：ヒューズ筐体の壁のインジケータ開口部、            位置１．７：インジケータ薄板のヒューズ筐体のカバーの開口部。
【図２】ヒューズカートリッジ、正面図。            位置２．１：インジケータ薄板。
【図３】ヒューズリンクが飛んでいない場合のインジケータ薄板の開始位置にあるそれぞれのヒューズカートリッジ、縦断面。            位置３．１：ヒューズのヒューズリンク、            位置３．２：ヒューズのケイ砂、            位置３．３：溶融表示ワイヤ、            位置３．４：溶融表示ワイヤとヒューズ筐体の下部カバーとの下部接続、            位置３．５：インジケータ薄板上の印、            位置３．５ｄ：インジケータ薄板上のさらなる印、            位置３．６：ヒューズ筐体の前壁の前部、            位置３．７：ヒューズ筐体の前壁の後部、            位置３．８：インジケータ薄板のチャネル、            位置３．９：インジケータ薄板に対して作用する変位力ＦＰ、            位置３．１０：インジケータ薄板の下前縁部、            位置３．１１：インジケータ薄板の上前縁部、            位置３．１２：ヒューズ外壁のインジケータ開口部の上縁部、            位置３．１３：ヒューズ外壁のインジケータ開口部の下縁部、            位置３．１４：溶融表示ワイヤとヒューズ筐体のカバーとの上部接続。
【図４】ヒューズのヒューズリンクが飛ばない場合の開始位置においてチャネルに挿入された、本発明による圧縮バネ及びインジケータ薄板のそれぞれの配置。            位置４．１：圧縮バネ、            位置４．２：インジケータ薄板の裂け目、            位置４．３：インジケータ薄板の変位リミッタ、            位置４．４：インジケータ薄板の裂け目の上縁部、            位置４．５：インジケータ薄板の裂け目の下縁部。
【図５】インジケータ薄板。            位置５．１：インジケータ薄板の厚さｄＬ、            位置５．２：インジケータ薄板の幅ｂＬ、            位置５．３：ヒューズ筐体カバーを貫通するインジケータ薄板の狭部分の低減幅ｂＰ、            位置５．４：ヒューズ筐体カバーを貫通するインジケータ薄板の狭部分の低減幅ｄＰ、            位置５．５：ヒューズ筐体カバーを貫通するインジケータ薄板の狭部分の低減高さｈＰ、            位置５．６：インジケータ薄板の長さｈＬ。
【図６】ヒューズのヒューズリンクが飛んだ場合の最終位置にあり、チャネルに挿入されたそれぞれの本発明によるインジケータ薄板。            位置６．１：インジケータ薄板の可視部分の表面、            位置６．２：飛んだ溶融表示ワイヤの残留部分、            位置６．３：溶融表示ワイヤのヒューズのカバーの穴。
【図７】ヒューズリンクが飛んだ場合の最終位置にあるインジケータ薄板の可視部分。            位置７．１：インジケータ薄板の前縁部での溶融ワイヤの配置。
【図８】インジケータ薄板可視部分の可能な表面形状。            位置８．１：特定の色のインジケータ薄板（２．１）上の可視部分（６．１）の正方形表面形状、            位置８．２：特定の色のインジケータ薄板（２．１）上の可視部分（６．１）の正方形表面上の感嘆符としての形状を有する印、            位置８．３：特定の色のインジケータ薄板（２．１）上の可視部分（６．１）の正方形表面上の離間された正方形、            位置８．４：特定の色のインジケータ薄板（２．１）上の可視部分（６．１）の感嘆符としての形状を有する表面。
【図９】圧縮バネの可能な形状。            位置９．１：圧縮バネの円筒形状、            位置９．２：圧縮バネの楕円形状、            位置９．３：圧縮バネの積層形状。
【図１０】圧縮バネとインジケータ薄板との可能な接合。            位置１０．１：自由状態の圧縮バネの内部寸法ｄＯＳ、            位置１０．２：圧縮バネの部分で引っ張られるインジケータ薄板部分の低減寸法ｄＯＭ。
【図１１】ヒューズリンクが飛んだ／飛んでいないことを通知する電気接点。            位置１１．１：微小スイッチ、            位置１１ａ：ヒューズのヒューズリンクが飛んでいない場合のインジケータ薄板及び微小スイッチの作動レバーの位置、            位置１１ｂ：ヒューズのヒューズリンクが飛んだ場合のインジケータ薄板及び微小スイッチの作動レバーの位置、            位置１１ｃ：可能な微小スイッチ接点構成の電気回路、            位置１１．１：微小スイッチ接続、            位置１１．２：微小スイッチ接点組み立ての可能な構成での回路接続。
【発明を実施するための形態】
【００７４】
６．発明を実施する形態
本発明によるヒューズのヒューズリンクの状態インジケータの技術的解決策は、低電圧高性能ヒューズの製造に適用され、その内、状態インジケータは一体型部分組立体の１つとして内蔵され、既知の従来技術の実施による解決策では、解決策についての特許（特許文献）を最初に登録しようとした日から始まる前世紀の少なくとも５０年代からの実施である。技術的解決策による製造に使用される技術は、従来の技術に属し、過去の期間中にあまり変わっていない。
【００７５】
共通のヒューズ、本発明により技術的に解決される組立体内に内蔵される内に低電圧高性能ヒューズの実現に関連して、ヒューズカートリッジのヒューズリンクの状態インジケータは、チャネル（３．８）を、ヒューズの筐体外装（１．１）の一般に軸方向前側に作る必要があり、チャネル（３．８）内にインジケータ薄板（２．１）が挿入され、その中で、開始位置から最終位置への並進移動が行われる。ヒューズの筐体外装（１．１）は、適切な絶縁材料、セラミック、又はステアタイト等で作られ、従来の解決策として実際にみなされる技術に従って実現される。
【００７６】
インジケータ薄板のチャネル（３．８）をヒューズの筐体外装（１．１）の全高の一部分でのみ実現されることを予期する、前に引用したいくつかの特許出願に含まれる既知の先行技術による解決策と同様に、本発明による技術的解決策は主に、ヒューズの筐体外装（１．１）の全高にインジケータ薄板のチャネル（３．８）を実現することを含み、筐体外装（１．１）の製造に有益である。
【００７７】
その他の点で、本発明によるインジケータ薄板（２．１）の寸法は、長さ（５．６）が厚さよりも数倍大きくなるようなものであり、任意の材料で適切な形状及び断面に製造し得る。本発明による最適な解決策は、熱可塑性材料射出技術でのインジケータ薄板（２．１）の製造である。経済に関するさらなる特定の利点として、ヒューズ外壁のインジケータ開口部（１．６）を通して開始位置において可視であるべき色の適切な材料のインジケータ薄板（２．１）を作ることが可能なこと、同時に、最終位置においてインジケータ薄板（２．１）の可視部分の表面色（６．１）に対応して、これら両方の場合で、インジケータ薄板（２．１）表面の各部分に色を適用する必要性を除外される。
【００７８】
１つ又は複数の圧縮バネ（４．１）は一般に、インジケータ薄板のチャネル（３．８）内への配置に適切な形状及び寸法の従来通りのバネを呈し、それにより、インジケータ薄板のチャネル（３．８）に沿ってインジケータ薄板を変位させるために必要な力ＦＰ（３．９）の取得を保証する。本発明による技術的解決策では、必要とされる寸法及び特徴の１つ又は複数の圧縮バネ（４．１）をインジケータ薄板のチャネル（３．８）内に、いかなる部分も広げずに配置することが可能であり、既知の従来技術に含まれる代替の解決策と比較して有利にする。
【００７９】
インジケータ薄板のチャネル（３．８）に沿ってインジケータ薄板を変位させる力ＦＰ（３．９）を生み出す圧縮バネは、楕円形バネ、円柱形バネ、及び積層バネとしての任意の既知の形態の圧縮バネを有し得る。圧縮バネの設計は、図１０に示された方法のうちのいくつかを使用し、全体的として、インジケータ薄板のチャネル（３．８）内に挿入される組立の過程にあるインジケータ薄板の下位組立体を形成して、インジケータ薄板（２．１）にしっかりと接続できるように適合し得る。
【００８０】
ヒューズ筐体の上部（１．２ｇ）及び下部（１．２ｄ）のカバー（１．２）に機械的且つ電気的にしっかりと接続された溶融表示ワイヤ（３．３）は、ヒューズのヒューズリンク（３．１）に電気的に並列接続され、しっかりとピンと張られ、インジケータ薄板の上前縁部（３．１１）の上にあり、ヒューズのヒューズリンク（３．１）が飛び、ひいては、溶融表示ワイヤ（３．３）も飛ぶ瞬間まで、チャネル（３．８）に沿ってインジケータ薄板を変位させる１つ又は複数の圧縮バネにより保証される力ＦＰ（３．９）の作用にも拘わらず、インジケータ薄板（２．１）の変位が保護されるように、ヒューズカートリッジ筐体内に配置される。
【産業上の利用可能性】
【００８１】
本発明は、その産業上の利用分野を、ヒューズのヒューズリンクの状態を判断する複合インジケータの追加の組立体内に内蔵された内への低電圧高性能ヒューズを製造し利用する分野に見出す。
【００８２】
本発明の産業用途の過程は、本発明の性質自体の説明からすでに明らかであり、説明される実施方法でさらに説明される。発明の産業上の利用分野は、疑いなく、本発明による技術的解決策が、既知の先行技術に含まれるか、又は低電圧高性能ヒューズの製造に広く使用される既存の解決策と比較して、よりよく、より確実で、より効率的な代替解決策を提示することを特に指摘する。
【００８３】
本発明の産業用途では、詳細な記述において単純な形態のインジケータ薄板組立体部分が提供され、熱可塑性材料の射出技術を使用して製造とともに、低電圧高性能ヒューズでは普通である巻きの多い圧縮バネにおいて決定的な利点を示す。
【００８４】
インジケータ薄板（２．１）と圧縮バネ（４．１）との単純な接続は、ヒューズカートリッジへの挿入が格別に容易且つ単純であり、それにより、手順の自動化が可能な独自の組立体を実現する。
【００８５】
インジケータの技術的解決策のさらなる利点は、本発明の実質的な概念の適用が、すべてのヒューズカートリッジサイズに対しても可能なことを含む。
【図１】
2013522835.tif 000003
【図３】
2013522835.tif 000004
【図４】
2013522835.tif 000005
【図５】
2013522835.tif 000006
【図６】
2013522835.tif 000007
【図７】
2013522835.tif 000008
【図９ａ）】
2013522835.tif 000009
【図９ｂ）】
2013522835.tif 000010
【図９ｃ）】
2013522835.tif 000011
【図１０】
2013522835.tif 000012
【図１１ａ】
2013522835.tif 000013
【図１１ｂ】
2013522835.tif 000014
【図１１ｃ】
2013522835.tif 000015
【図２】
2013522835.tif 000016
【図８】
2013522835.tif 000017
【国際調査報告】
2013522835.tif 000018
2013522835.tif 000019
2013522835.tif 000020